(57)【要約】  【課題】  下流側の球抜き通路も含めた省スペース化が可能な遊技球払い出し装置を提供する。  【解決手段】  駆動手段５５により中心軸５１廻りに回転可能に構成され且つ遊技球保持部５２を円周方向に複数備えた回転体５３と、遊技球保持部５２内に保持された最下層の遊技球を下側から保持するベース部５４と、このベース部５４上に設けられ且つその上側の遊技球を払い出し通路１１１側に案内する払い出し口７４とを備え、駆動手段５５により回転駆動される回転体５３の遊技球保持部５２内の遊技球を払い出し口７４から払い出すように構成され、ベース部５４は、内周側が低い傾斜状に形成されると共にその内周側には球抜き口７１が設けられ、回転体５３の内周側には、遊技球保持部５２と球抜き口７１とを連通させる球抜き連通路９２が形成され、球抜き連通路９２を開閉自在に閉鎖する球抜き開閉部材９５を備えたものである。【選択図】  図１
2005312639.tif 000002
【特許請求の範囲】
【請求項１】
所定の駆動手段（５５）により上下方向の中心軸（５１）廻りに回転可能に構成され且つ上下方向に貫通する遊技球保持部（５２）を円周方向に複数備えた回転体（５３）と、該回転体（５３）の下側に配置され且つ前記遊技球保持部（５２）内に保持された最下層の遊技球を下側から保持するベース部（５４）と、該ベース部（５４）上の所定位置に設けられ且つその上側の前記遊技球保持部（５２）内の遊技球を払い出し通路（１１１）側に案内する払い出し口（７４）とを備え、前記駆動手段（５５）により前記回転体（５３）を回転駆動することにより、前記回転体（５３）の上側から前記遊技球保持部（５２）内に供給される遊技球を前記払い出し口（７４）から前記払い出し通路（１１１）を介して払い出すように構成された遊技球払い出し装置において、前記ベース部（５４）は、内周側が低い傾斜状に形成されると共にその内周側には球抜き口（７１）が設けられ、前記回転体（５３）の内周側には、前記遊技球保持部（５２）と前記球抜き口（７１）とを連通させる球抜き連通路（９２）が形成され、前記球抜き連通路（９２）を開閉自在に閉鎖する球抜き開閉部材（９５）を備えたことを特徴とする遊技球払い出し装置。
【請求項２】
前記球抜き開閉部材（９５）は、前記球抜き連通路（９２）を閉鎖する球抜き規制位置と前記球抜き連通路（９２）を開放する球抜き許容位置とに切り換え可能に構成されると共に、前記球抜き規制位置で前記遊技球保持部（５２）内の遊技球の内周側に当接してその遊技球の内周側への移動を規制する規制部（９５ａ）を備えたことを特徴とする請求項１に記載の遊技球払い出し装置。
【請求項３】
前記球抜き開閉部材（９５）は、前記回転体（５３）に対して、前記球抜き連通路（９２）を閉鎖する球抜き規制位置と前記球抜き連通路を開放する球抜き許容位置との間で前記中心軸（５１）方向に摺動自在に装着されていることを特徴とする請求項１又は２に記載の遊技球払い出し装置。
【請求項４】
前記球抜き開閉部材（９５）は、前記回転体（５３）と共に前記中心軸（５１）廻りに回転可能に構成されていることを特徴とする請求項１〜３の何れかに記載の遊技球払い出し装置。
【請求項５】
前記払い出し口（７４）に対応して配置され且つ前記遊技球保持部（５２）内の２層目以降の遊技球の前記払い出し口（７４）への落下を阻止する阻止部材（９３）を設けたことを特徴とする請求項１〜４の何れかに記載の遊技球払い出し装置。
【請求項６】
前記払い出し口（７４）を開閉可能な払い出し口開閉部材（１２１）を備え、前記阻止部材（９３）は、前記２層目以降の遊技球の落下を阻止する阻止位置と、阻止しない非阻止位置とに切換可能に構成され、前記払い出し口開閉部材（１２１）と前記阻止部材（９３）とを、前記払い出し口開閉部材（１２１）の開／閉状態と前記阻止部材（９３）の阻止／非阻止状態とが対応するように連動させる第１連動手段（１２２）とを備えたことを特徴とする請求項５に記載の遊技球払い出し装置。
【請求項７】
前記球抜き開閉部材（９５）が前記球抜き連通路（９２）を開放する球抜き許容位置にきたときに前記第１連動手段（１２２）により前記払い出し口開閉部材（１２１）が閉状態となり且つ前記阻止部材（９３）が非阻止状態となるように、前記球抜き開閉部材（９５）と前記第１連動手段（１２２）とを連動させる第２連動手段（１２３）を備えたことを特徴とする請求項６に記載の遊技球払い出し装置。
【請求項８】
請求項１〜７の何れかに記載の遊技球払い出し装置を備えた遊技機。
【発明の詳細な説明】
【技術分野】
【０００１】
本発明は、パチンコ機、アレンジボール機等、遊技媒体として遊技球を使用する遊技機に装着される遊技球払い出し装置及びその遊技機に関するものである。
【背景技術】
【０００２】
パチンコ機、アレンジボール機等、遊技媒体として遊技球を使用する遊技機には、遊技球を賞球又は貸し球として払い出す遊技球払い出し装置が設けられている。この遊技球払い出し装置としては、例えば特許文献１に記載されたものが知られている。
【０００３】
この特許文献１に記載された遊技球払い出し装置は、駆動手段により上下方向の中心軸廻りに回転可能に構成され且つ上下方向に貫通する遊技球保持部を円周方向に複数備えた回転体と、この回転体の下側に配置され且つ前記遊技球保持部内に保持された最下層の遊技球を下側から保持するベース部と、このベース部上の所定位置に設けられ且つその上側の遊技球保持部内の遊技球を払い出し通路側に案内する払い出し口とを備え、駆動手段により回転体を回転駆動することにより、回転体の上側から遊技球保持部内に供給される遊技球を払い出し口から払い出し通路側に払い出すように構成されている。
【０００４】
また、ベース部は外向きの傾斜状に形成されており、遊技球保持部内の球抜きを行う際には、ベース部を降下させて、ベース部の外周側に遊技球を落下させるように構成されている。
【特許文献１】特公平４−１５７１１号公報
【発明の開示】
【発明が解決しようとする課題】
【０００５】
特許文献１に記載の遊技球払い出し装置では、球抜きの際にベース部の外周側に遊技球を落下させるように構成されているため、下流側の球抜き通路は、その球受け部分をベース部よりも更に広く形成する必要があり、たとえ遊技球払い出し装置側を小型化しても、その下流側通路が大型化することにより遊技機本体が大型化してしまう欠点があった。
【０００６】
本発明は、このような従来の問題点に鑑み、下流側の球抜き通路も含めた省スペース化が可能な遊技球払い出し装置を提供することを目的とする。
【課題を解決するための手段】
【０００７】
本発明は、所定の駆動手段５５により上下方向の中心軸５１廻りに回転可能に構成され且つ上下方向に貫通する遊技球保持部５２を円周方向に複数備えた回転体５３と、該回転体５３の下側に配置され且つ前記遊技球保持部５２内に保持された最下層の遊技球を下側から保持するベース部５４と、該ベース部５４上の所定位置に設けられ且つその上側の前記遊技球保持部５２内の遊技球を払い出し通路１１１側に案内する払い出し口７４とを備え、前記駆動手段５５により前記回転体５３を回転駆動することにより、前記回転体５３の上側から前記遊技球保持部５２内に供給される遊技球を前記払い出し口７４から前記払い出し通路１１１を介して払い出すように構成された遊技球払い出し装置において、前記ベース部５４は、内周側が低い傾斜状に形成されると共にその内周側には球抜き口７１が設けられ、前記回転体５３の内周側には、前記遊技球保持部５２と前記球抜き口７１とを連通させる球抜き連通路９２が形成され、前記球抜き連通路９２を開閉自在に閉鎖する球抜き開閉部材９５を備えたものである。
【発明の効果】
【０００８】
このように、本発明の遊技球払い出し装置は、球抜きの際にベース部５４の内周側に遊技球を落下させるように構成されているため、下流側の球抜き通路は、その球受け部分をベース部５４よりも小さく形成することができ、下流側の球抜き通路も含めた省スペース化が可能である。
【発明を実施するための最良の形態】
【０００９】
以下、本発明の実施形態を図面に基づいて詳述する。図１〜図８は本発明の第１の実施形態を例示し、図７及び図８において、１はパチンコ機、２は自動球貸し機で、これらは遊技ホール内の遊技島に左右方向に交互に配置されている。
【００１０】
パチンコ機１は、矩形状の外枠３と、この外枠３の前側に開閉自在に枢着された前枠４とを含む遊技機本体５を備え、その前枠４に遊技盤６が着脱自在に装着され、また遊技盤６の前側にガラス扉７と前面板８とが開閉自在に配置されている。前面板８には、発射用の遊技球を貯留するための上皿９が設けられ、この上皿９の前縁部に、カード残金表示部１０、球貸しスイッチ１１、返却スイッチ１２等が配置されている。
【００１１】
前枠４の下部には余剰球を貯留する下皿１３と、発射手段１４の発射ハンドル１５とが設けられている。発射手段１４は、発射ハンドル１５を操作したときに、上皿９から発射部へと１個ずつ供給される遊技球を打撃槌で打撃して、その遊技球を遊技盤６側へと発射させるようになっている。
【００１２】
遊技盤６には、ガイドレール１６が環状に配置されると共に、そのガイドレール１６の内側の遊技領域に液晶表示手段１７、可変入賞手段１８等の複数個の遊技部品が装着されている。
【００１３】
自動球貸し機２は、カード挿入口１９、表示ランプ２０等を備え、カード挿入口１９にカードを挿入すれば、表示ランプ２０が点灯すると共に、上皿９の前縁部のカード残金表示部１０に残金が表示され、またカードの挿入後に球貸しスイッチ１１を操作すれば、上皿９に所定個数の遊技球が貸し球として払い出され、更に遊技終了後に返却スイッチ１２を操作すれば、残金に関する情報を記録済みのカードがカード挿入口１９から返却されるように構成されている。
【００１４】
遊技盤６の裏側には、図８に示すように、遊技盤６に装着された液晶表示手段１７等の各遊技部品等を裏側から覆う裏カバー２１が着脱自在に固定されている。この裏カバー２１には、その背面側に、主制御基板２２を収納する主制御基板ケース２３、ランプ制御基板２４を収納するランプ制御基板ケース２５、音声制御基板２６を収納する音声制御基板ケース２７等が着脱自在に装着されている。
【００１５】
前枠４の裏側には、遊技盤６を裏側から押さえる裏機構板３１が開閉自在に装着されている。この裏機構板３１には、遊技盤６側の裏カバー２１が嵌合する開口部３２が形成され、その上側に遊技球タンク３３が、左右方向の一側に遊技球払い出し装置３４及び通路ユニット３５が、下側に電源基板３６と払い出し制御基板３７とを収納する基板ケース３８が夫々設けられている。
【００１６】
遊技球払い出し装置３４は、賞球又は貸し球の払い出し指令に基づく払い出し制御基板３７の制御により、遊技球タンク３３側の遊技球を通路ユニット３５を介して上皿９側に払い出すためのもので、遊技球タンク３３の下流側で且つ通路ユニット３５の上流側に配置されている。
【００１７】
遊技球タンク３３は、外部の遊技球補給系から補給された遊技球を貯留すると共に下流側の遊技球払い出し装置３４側に供給するためのもので、例えば上側が開放した横長状の箱形に形成されており、図１等に示すように、底面３９の所定位置、例えば左端側近傍にはその下側の遊技球払い出し装置３４側に開口する供給口４０が形成され、底面３９はその供給口４０側に遊技球を案内するように傾斜状に形成されている。
【００１８】
通路ユニット３５は、図１等に示すように、遊技球払い出し装置３４から払い出された遊技球を上皿９側に案内する払い出し通路４１と、遊技球払い出し装置３４側から抜き取られた遊技球を機外に案内する球抜き通路４２等を例えば一体に備え、その上流端側には、払い出し通路４１側の連通する払い出し接続口４１ａの左右両側に、球抜き通路４２に連通する球抜き接続口４２ａが隣接して配置されている。
【００１９】
遊技球払い出し装置３４は、図１〜図６に示すように、上下方向の中心軸５１廻りに回転可能に構成され且つ上下方向に貫通する遊技球保持部５２を円周方向に複数、例えば１２個備えた回転体５３と、回転体５３の下側に配置され且つ遊技球保持部５２内に保持された最下層の遊技球を下側から保持するベース部５４と、回転体５３を回転駆動する駆動手段５５と、内部に作動室５６を備え且つその作動室５６内に回転体５３及びベース部５４を配置した本体ケース５７と、本体ケース５７の上側に設けられ且つ遊技球タンク３３側の遊技球を作動室５６側に案内する上カバー５８と、本体ケース５７の下側に設けられ且つ作動室５６側と通路ユニット３５側とを連通させる通路ケース５９とを備えている。
【００２０】
本体ケース５７は、本体底壁部６１と本体周壁部６２とを例えば一体に備えた上下方向の略有底円筒状に形成され、その内部が作動室５６となっている。本体周壁部６２には、その一部、例えば前部右側の周方向所定範囲に切り欠き部６３が形成されており、その切り欠き部６３から所定方向、例えば右側に向けて駆動装着部６４が膨出状に形成されている。
【００２１】
駆動装着部６４は、本体底壁部６１側から延設された略矩形状の駆動底壁部６５と、切り欠き部６３側を除いて駆動底壁部６５の周囲を取り囲む駆動側壁部６６とを例えば一体に備えており、その内部が駆動室６７となっている。なお、駆動側壁部６６の高さは本体周壁部６２よりも低く形成されている。
【００２２】
また、駆動側壁部６６の上端側には、駆動室６７の上側を略塞ぐように駆動支持板６８が配置され、例えば駆動側壁部６６側に一体に設けられたボス６９に対してネジ止め等により着脱自在に固定されている。駆動支持板６８の上面側には、ステッピングモータ等よりなる駆動手段５５が、その駆動軸５５ａを駆動支持板６８に形成された貫通孔（図示省略）を介して駆動室６７内に下向きに突出させた状態で着脱自在に装着されている。駆動軸５５ａの先端側には、駆動ギア７０が固定されている。
【００２３】
本体ケース５７の本体底壁部６１には、その中心部に所定径の球抜き口７１が形成されており、更にその球抜き口７１の周囲を取り囲むように円環状のベース部５４が一体に形成されている。ベース部５４は、その上面７２が、外周側よりも内周側が低くなるように傾斜状に形成されており、更にその外周側を取り囲む円筒状の周壁部７３が、本体底壁部６１の上面側に立設されている。
【００２４】
本実施形態では、ベース部５４の上面７２は、ベース部５４の内周側に形成された内周側傾斜面７２ａと、その内周側傾斜面７２ａの外周側に形成され且つ内周側傾斜面７２ａよりも傾斜角が大きい外周側傾斜面７２ｂとで２段階の傾斜状に形成されている。なお、ベース部５４は、その半径方向略全体にわたって一定の傾斜角に形成してもよいし、傾斜角の異なる３つ以上の傾斜面で構成してもよいし、傾斜角が滑らかに変化するように例えば断面円弧状に形成してもよい。
【００２５】
また、ベース部５４上の所定位置、例えば最も前側の位置（中心の前側に対応する位置）に、上下に貫通する払い出し口７４が設けられている。この払い出し口７４は、遊技球が１個通過できる程度の大きさの例えば丸孔に形成されている。
【００２６】
回転体５３は、中心軸５１に沿って上下方向に配置された回転支持軸８１と、この回転支持軸８１の上端側に固定された円形状の内周部材８２と、その内周部材８２の外周側に設けられた外周部材８３と、外周部材８３の外周側に形成された被駆動ギア８４と、外周部材８３の下側に設けられた球送り部材８５とを備えている。
【００２７】
回転支持軸８１は例えば円筒状に形成されており、その下部側を、例えば通路ケース５９側に設けられた軸受け部８６により中心軸５１廻りに回転自在に支持されている。なお、軸受け部８６は、その中心軸５１が本体ケース５７側の球抜き口７１の中心と一致するように、球抜き口７１を介して例えば作動室５６側に突出した状態で配置されており、その軸受け部８６と球抜き口７１との間には少なくとも遊技球が通過できる程度の隙間が設けられている。
【００２８】
なお、軸受け部８６はその上端側が球抜き口７１よりも下側に位置するように配置してもよいが、この場合には、回転支持軸８１と球抜き口７１との間に少なくとも遊技球が通過できる程度の隙間を設ければよい。
【００２９】
内周部材８２は、回転支持軸８１の上端側に固定された円板状の上壁部８７と、この上壁部８７の外縁側から軸方向下向きに延設された円筒状の周壁部８８とを一体に備えており、その内部は下向きに開放する収容室８９となっている。上壁部８７の上面８７ａは、その中心から半径方向外側に向けて低くなる略球面状に形成されており、その上側の遊技球を外周側に案内するようになっている。なお、上壁部８７の上面８７ａはその中心から半径方向外側に向けて低くなる形状であればよく、例えば円錐状等に形成してもよい。
【００３０】
外周部材８３は、内周部材８２の周壁部８８から半径方向外向きに遊技球の直径よりも若干大きく張り出した円環状に形成されており、上下方向に貫通する入球孔９０が周方向に等間隔で複数、例えば１２個形成されている。なお、外周部材８３は、上下方向寸法が例えば遊技球の直径と略等しく、その下面側は内周部材８２の下端（周壁部８８の下端）と略一致し、その上面側は内周部材８２の上面（上壁部８７の上面８７ａ）よりも低くなっている。
【００３１】
また、内周部材８２及び外周部材８３の下面側とベース部５４の上面７２との間には、遊技球１個分程度の隙間が形成されている。更に、外周部材８３の外周側は、ベース部５４側の周壁部７３と上下に略対向しており、その隙間は少なくとも遊技球の直径よりも小さくなっている。
【００３２】
外周部材８３の外周側には、被駆動ギア８４が、駆動室６７内に配置された駆動ギア７０に噛み合うように、例えば外周部材８３の下端側に一体に形成されている。
【００３３】
球送り部材８５は、外周部材８３の入球孔９０間に対応して夫々例えばその内周側に配置され、外周部材８３の下面側における入球孔９０間の内周側から夫々下向きに突設されている。これら複数の球送り部材８５により区切られた円周方向の複数、例えば１２個の領域が、上下方向に貫通する遊技球保持部５２となっており、上側から入球孔９０に入った遊技球は、その下側をベース部５４により保持されることによりこの遊技球保持部５２内に保持されるようになっている。
【００３４】
また、球送り部材８５の上端側には、中心軸５１に対する半径方向外側に中心軸５１側に向けて切り欠き部９１が形成されている。なお、隣接する球送り部材８５間の隙間、即ち遊技球保持部５２の周方向の幅は、少なくともその半径方向内側において遊技球の直径よりも大となっており、遊技球保持部５２の内周側にはその内側の球抜き口７１に連通する遊技球通過可能な球抜き連通路９２が形成されている。
【００３５】
また、ベース部５４の上側で且つ外周部材８３の下側には、遊技球保持部５２内の２層目以降の遊技球の払い出し口７４への落下を阻止する阻止部材９３が、払い出し口７４の上側に対応して配置されている。
【００３６】
阻止部材９３は、例えば略水平な平板状で、遊技球保持部５２内の最下層の遊技球とその上の遊技球との間の高さ位置に、ベース部５４の外周側から遊技球保持部５２内に突出するように配置され、その一端側がベース部５４の外側で本体ケース５７側の固定部９４に着脱自在に固定されている。なお、阻止部材９３の先端部（回転軸５１側端部）は、球送り部材８５に形成された切り欠き部９１内に配置されている。
【００３７】
回転体５３の回転支持軸８１には、内周部材８２の下側に、球抜き連通路９２を開閉自在に閉鎖する球抜き開閉部材９５が軸方向摺動自在に装着されている。球抜き開閉部材９５は、内周部材８２の内側の収容室８９内に略収容可能な大きさの例えば厚板円板状に形成されており、その中心部に形成された上下方向の中心貫通孔９６に回転支持軸８１が挿通されている。また、中心貫通孔９６の周辺部の複数箇所、例えば中心貫通孔９６を挟む２箇所に上下方向の周辺貫通孔９７が形成されており、内周部材８２の上壁部８７の下面側から下向きに突設された取り付けボス９８が上側から挿通されるようになっている。
【００３８】
また、球抜き開閉部材９５の下側には、この球抜き開閉部材９５の下向きの摺動動作を所定位置で規制する摺動規制部材９９が、例えば取り付けボス９８に対して下側からネジ止め等により固定されることにより回転体５３に対して着脱自在に固定されている。摺動規制部材９９は、例えば円板状に形成されており、その中心部に形成された貫通孔１００に回転支持軸８１が挿通されている。
【００３９】
球抜き開閉部材９５は、回転支持軸８１及び取り付けボス９８に沿って、球抜き連通路９２を閉鎖する球抜き規制位置と、球抜き連通路９２を開放する球抜き許容位置との間で摺動自在となっており、球抜き規制位置において摺動規制部材９９により下向きの移動が規制され、球抜き許容位置において収容室８９内に略収容されて上向きの移動が規制されるようになっている。
【００４０】
球抜き開閉部材９５は、球抜き規制位置にあるときに、その外周側の規制部９５ａが遊技球保持部５２内の最下層の遊技球の内周側に当接して、その遊技球の内周側、即ち球抜き連通路９２側への移動を規制するようになっている。なお、規制部９５ａは、半径方向外向きの突起状に形成されており、例えば遊技球保持部５２に対応して複数（１２個）設けられている。
【００４１】
また、球抜き開閉部材９５は、バネ部材１０１により下向き、即ち球抜き規制位置側に付勢されている。バネ部材１０１は、内周部材８２の上壁部８７と球抜き開閉部材９５との間で例えば取り付けボス９８に夫々装着されている。
【００４２】
また、球抜き開閉部材９５には、バネ部材１０１の付勢力に抗して当該球抜き開閉部材９５を球抜き規制位置から球抜き許容位置まで移動させるための外部操作可能な球抜き操作手段１０２が接続されている。
【００４３】
球抜き操作手段１０２は、回転支持軸８１内に軸方向摺動自在に挿通された操作部材１０３と、この操作部材１０３と球抜き開閉部材９５とを連結する操作連結部材１０４とを備えている。
【００４４】
操作部材１０３は、その下端側が、軸受け部８６の下端側に設けられた貫通孔１０５を介して通路ケース５９の下側に突出しており、その下端側には、例えばその軸よりも大径に形成された操作部１０３ａが一体に形成されており、操作部材１０３の押し上げ操作を容易に行うことができるようになっている。なお、操作部１０３ａは任意の形状に形成すればよく、また操作部材１０３と別体に形成して操作部材１０３の下端側に装着してもよい。
【００４５】
操作連結部材１０４は、例えば棒状に形成され、操作部材１０３の上端側に例えば操作部材１０３の軸と直交するように装着されており、その両端側は回転支持軸８１に設けられたガイド孔８１ａを介して回転支持軸８１の外側に突出して、球抜き開閉部材９５側に固定されている。
【００４６】
ガイド孔８１ａは、回転支持軸８１の軸方向に長い長穴状で、球抜き開閉部材９５の移動範囲、即ち球抜き規制位置から球抜き許容位置までの範囲に対応する長さに形成されている。
【００４７】
上カバー５８は、本体ケース５７の上側に着脱自在に装着されており、回転体５３の外周部材８３の外周側に上側から嵌合する円筒状の筒状部１０６と、この筒状部１０６を本体ケース５７側に装着する装着部１０７とを例えば一体に備え、筒状部１０６の上端側が遊技球タンク底面３９の供給口４０に下側から嵌合している。
【００４８】
装着部１０７は、例えば筒状部１０６の外周に沿って円環状に設けられており、筒状部１０６の外周面から外向きに張り出した鍔状部１０８と、その鍔状部１０８の外縁側から下向きに延設された外縁部１０９とで断面略Ｌ字型に形成され、本体ケース５７の本体周壁部６２に上側から嵌合している。
【００４９】
通路ケース５９は、本体ケース５７の下側に着脱自在に装着されており、払い出し口７４の下側に配置された上下方向の払い出し通路１１１と、その払い出し通路１１１の左右両側に配置された上下方向の球抜き通路１１２と、それら球抜き通路１１２の後側に配置された前後方向の球抜き案内通路１１３と、前記払い出し通路１１１の後側で且つ左右の球抜き案内通路１１３の間に配置された振り分け案内部１１４と、この振り分け案内部１１４上に設けられた軸受け部８６と、例えば払い出し通路１１１の上端側に配置された払い出し検出スイッチ１１５とを備えている。
【００５０】
払い出し通路１１１は、その上端側が払い出し検出スイッチ１１５を介して払い出し口７４の下側に接続され、またその下端側が通路ユニット３５側の払い出し通路４１の上端側に接続されている。
【００５１】
左右の球抜き通路１１２は、その上端側が左右の球抜き案内通路１１３の前側に夫々接続され、またその下端側が通路ユニット３５側の球抜き通路４２の上端側に接続されている。
【００５２】
左右の球抜き案内通路１１３は、その上側が球抜き口７１に接続され、その底面１１３ａは前側、即ち球抜き通路１１２側が低い傾斜状に形成されており、球抜き口７１側から落下してきた遊技球を球抜き通路１１２側に案内するようになっている。
【００５３】
振り分け案内部１１４は、左右の球抜き案内通路１１３の互いに隣接する側壁１１３ｂをその上端側で左右に接続するように形成され、その前後方向略中央に軸受け部８６が上向きに突設されている。振り分け案内部１１４の上面側は、左右両側に向けて低くなる傾斜状に形成されており、上側の球抜き口７１側からこの振り分け案内部１１４上に落下してきた遊技球を左右の球抜き案内通路１１３の何れかに案内するようになっている。
【００５４】
なお、操作部材１０３の下端側の操作部１０３ａは、貫通孔１０５を介して振り分け案内部１１４の下側で且つ側壁１１３ｂ間に配置されている。
【００５５】
以上のような構成を有する遊技球払い出し装置３４の動作を説明する。遊技球タンク３３内には、常に一定数以上の遊技球が貯留された状態となるように、必要に応じて外部の遊技球補給系から遊技球が自動的に供給されるようになっている。遊技球タンク３３内の遊技球は、底面３９の傾斜によって例えば左側の供給口４０側に案内され、その供給口４０を経てその下側の遊技球払い出し装置３４側に排出される。
【００５６】
供給口４０から遊技球払い出し装置３４側に排出された遊技球は、上カバー５８の筒状部１０６内で回転体５３上に落下し、内周部材８２の上壁部上面８７ａにより外周側に案内され、外周部材８３側の各入球孔９０に順次入球して、払い出し口７４の上側の遊技球保持部５２を除く全ての遊技球保持部５２内に夫々遊技球が供給される。
【００５７】
このとき、球抜き開閉部材９５は球抜き規制位置で球抜き連通路９２を閉鎖した状態となっており、遊技球保持部５２内に供給された遊技球は、ベース部５４により内周側に案内された状態で下側から保持され、また球抜き開閉部材９５の規制部９５ａにより内周側から保持され、球送り部材８５により中心軸５１に対する周方向両側を保持された状態となっている。また、各入球孔９０内には、後続の遊技球が遊技球保持部５２内の最下層の遊技球の上側で待機している。なお、払い出し口７４の上側の遊技球保持部５２については、阻止部材９３によりその上側が略閉鎖されているため、遊技球は供給されない。
【００５８】
自動球貸し機２から貸し球の払い出し要求があった場合、或いは可変入賞手段１８等の入賞手段への遊技球の入賞があった場合には、主制御基板２２側からの払い出し指令コマンドに基づく払い出し制御基板３７の制御により、駆動手段５５が作動して、駆動軸５５ａ、駆動ギア７０、非駆動ギア８４を介して回転体５３に回転力が伝達され、回転体５３は所定の払い出し方向に所定角度だけ回転する。
【００５９】
回転体５３が回転すると、遊技球保持部５２内の遊技球は球送り部材８５に押されて中心軸５１に対する周方向に搬送され、順次払い出し口７４の上側に到達してこの払い出し口７４から下側に払い出される。このとき、払い出し口７４上では、遊技球保持部５２内の最下層の遊技球と後続の２層目の遊技球との間に阻止部材９３が割り込むため、２層目以降の遊技球の落下は阻止され、遊技球保持部５２内の最下層の遊技球のみが払い出し口７４から払い出される。
【００６０】
なお、払い出し口７４上で最下層の遊技球が払い出された遊技球保持部５２には、払い出し口７４を通過後に後続の遊技球が供給される。
【００６１】
払い出し口７４から払い出された遊技球は、払い出し検出スイッチ１１５で検出された後、通路ケース５９側の払い出し通路１１１、通路ユニット３５側の払い出し通路４１を介して上皿９側に案内される。
【００６２】
遊技球払い出し装置３４内、及びそれよりも上流側の遊技球を抜き取る際には、通路ケース５９の下側に突出している操作部材１０３の操作部１０３ａを上向きに操作すればよい。操作部材１０３が上向きに操作されると、球抜き規制位置にあった球抜き開閉部材９５が、バネ部材１０１の付勢力に抗して球抜き許容位置まで上向きに移動し、これによって球抜き連通路９２が開放される。
【００６３】
球抜き連通路９２が開放されると、遊技球保持部５２内の最下層の遊技球は、規制部９５ａによる内周側の規制が解除されるため、ベース部５４の斜面に案内されて内周側に移動し、球抜き連通路９２を経て球抜き口７１から落下する。また、それに引き続いて、後続の遊技球も順次球抜き口７１から落下する。
【００６４】
球抜き口７１から落下した遊技球は、通路ケース５９側の球抜き案内通路１１３、球抜き通路１１２、通路ユニット３５側の球抜き通路４２を介して機外に回収される。
【００６５】
以上のように、本実施形態の遊技球払い出し装置３４は、ベース部５４が、内周側が低い傾斜状に形成されると共にその内周側に球抜き口７１が設けられ、回転体５３の内周側には、遊技球保持部５２と球抜き口７１とを連通させる球抜き連通路９２が形成され、球抜き連通路９２を開閉自在に閉鎖する球抜き開閉部材９５を備えているため、球抜きの際にベース部５４の内周側に遊技球を落下させるように構成されているため、下流側の球抜き通路４２は、その球受け部分をベース部５４よりも小さく形成することができ、下流側の球抜き通路４２も含めた遊技機本体の省スペース化が可能である。
【００６６】
また、球抜き開閉部材９５は、球抜き連通路９２を閉鎖する球抜き規制位置と球抜き連通路９２を開放する球抜き許容位置とに切り換え可能に構成されると共に、球抜き規制位置で遊技球保持部５２内の遊技球の内周側に当接してその遊技球の内周側への移動を規制する規制部９５ａを備えているため、球抜き規制位置にあるときの球抜き開閉部材９５への負荷は極めて小さく、例えば球抜き開閉部材９５の可動部分、その他の構成を簡素化できる利点がある。
【００６７】
球抜き開閉部材９５は、回転体５３に対して、球抜き規制位置と球抜き許容位置との間で中心軸５１方向に摺動自在に装着されているため、構造が簡単で更なる小型化、低コスト化が可能である。
【００６８】
球抜き開閉部材９５は、回転体５３と共に中心軸５１廻りに回転可能に構成されているため、払い出し動作をよりスムーズに無理なく行うことができる。
【００６９】
払い出し口７４に対応して配置され且つ遊技球保持部５２内の２層目以降の遊技球の払い出し口７４への落下を阻止する阻止部材９３を設けているため、遊技球保持部５２内の最下層の遊技球のみを確実に払い出すことができる。
【００７０】
図９及び図１０は本発明の第２の実施形態を例示している。第１の実施形態の遊技球払い出し装置３４の場合、払い出し口７４上の入球孔９０内の遊技球は、阻止部材９３により下向きの移動が阻止された状態となっているため、操作部材１０３を操作して球抜きを行っても、その阻止部材９３上の１又は複数個の遊技球は抜き取られずに残ってしまい、全ての遊技球を抜き取ることができない問題がある。
【００７１】
そこで、本実施形態では、阻止部材９３を、払い出し口７４の上側で遊技球の落下を阻止する阻止位置と、阻止しない非阻止位置とに切換可能に構成し、通常時は阻止位置に、球抜き時は非阻止位置に移動可能に構成している。
【００７２】
また、球抜き時に阻止部材９３が非阻止位置まで移動したときに、遊技球が払い出し口７４から落下しないよう、払い出し口７４を開閉可能な払い出し口開閉部材１２１を設けている。
【００７３】
更に、球抜き操作に連動してこれら阻止部材９３と払い出し口開閉部材１２１とを動作させるべく、阻止部材９３と払い出し口開閉部材１２１とを、払い出し口開閉部材１２１の開／閉状態と阻止部材９３の阻止／非阻止状態とが対応するように連動させる第１連動手段１２２と、球抜き開閉部材９５が球抜き許容位置にきたときに第１連動手段１２２により払い出し口開閉部材１２１が閉状態となり且つ阻止部材９３が非阻止状態となるように、球抜き開閉部材９５と第１連動手段１２２とを連動させる第２連動手段１２３とを設けている。
【００７４】
阻止部材９３は、第１の実施形態と同様、遊技球保持部５２内の最下層の遊技球とその上の遊技球との間の高さ位置に、ベース部５４の外周側から遊技球保持部５２内に突出するように配置され、ベース部５４の外周側において上下方向の軸廻りに回転可能な第１連動手段１２２に固定されている。
【００７５】
また、払い出し口開閉部材１２１は、阻止部材９３の下側で且つベース部５４と略同じ高さ位置に、ベース部５４の外周側から切り欠き部１２４を介して払い出し口７４内に突出するように配置され、阻止部材９３と同様にベース部５４の外周側において上下方向の軸廻りに回転可能な第１連動手段１２２に固定されている。
【００７６】
なお、阻止部材９３と払い出し口開閉部材１２１とは、第１連動手段１２２に対してその軸廻りに所定角度だけずれた位置に固定されており、阻止部材９３が遊技球の落下を阻止する阻止位置にきたときに払い出し口開閉部材１２１が払い出し口７４を開放し（以下、払い出し回転位置という）（図９（ａ）参照）、阻止部材９３が遊技球の落下を許容する非阻止位置にきたときに払い出し口開閉部材１２１が払い出し口７４を閉鎖する（以下、球抜き回転位置という）（図９（ｂ）参照）ようになっている。
【００７７】
また、払い出し口開閉部材１２１は、その上面側の少なくとも一部が球抜き口７１側に向けて低くなる傾斜面１２５となっており、払い出し口７４を閉鎖したときに、その上側の遊技球を払い出し口７４側に案内するようになっている。
【００７８】
第１連動手段１２２は、図示しない支持手段により本体ケース５７側の例えば本体周壁部６２側に支持されており、例えばその軸方向の所定位置に、半径方向に突出する回転レバー部１２６が設けられている。また、第１連動手段１２２は、圧縮バネ１２７等の弾性部材により、球抜き回転位置から払い出し回転位置側に向けて弾性付勢されている。
【００７９】
第２連動手段１２３は、例えば操作部材１０３に固定された連動アーム１２８と、この連動アーム１２８と第１連動手段１２２側の回転レバー部１２６との間に配置された揺動部材１２９とを備えている。
【００８０】
揺動部材１２９は、被作動アーム１３０と作動アーム１３１とを一体に備え、水平方向の回転軸１３２廻りに揺動自在に支持されており、操作部材１０３が上向きに操作されて連動アーム１２８が上昇したときに、その連動アーム１２８により被作動アーム１３０が押されて回転軸１３２廻りに揺動し、それによって作動アーム１３１が圧縮バネ１２７の付勢力に抗して連動アーム１２８を押すように構成されている。
【００８１】
これにより、操作部材１０３が上向きに操作されて球抜き連通路９２が開放されると同時に、阻止部材９３が遊技球の落下を許容する非阻止位置に移動すると共に払い出し口開閉部材１２１が払い出し口７４を閉鎖するため、遊技球払い出し装置３４内の全ての遊技球を確実に抜き取ることができる。
【００８２】
以上、本発明の各実施形態について詳述したが、本発明はこれら各実施形態に限定されるものではなく、本発明の趣旨を逸脱しない範囲で種々の変更が可能である。例えば、球抜き操作手段１０２は、電磁ソレノイド等により電動で作動するようにしてもよい。
【００８３】
通路ケース５９側の払い出し通路１１１、球抜き通路１１２等の配置は任意であり、例えば球抜き通路１１２を１つのみ設けてもよい。また、通路ケース５９側の払い出し通路１１１、球抜き通路１１２等を省略して、払い出し口７４、球抜き口７１と通路ユニット３５側の払い出し通路４１、球抜き通路４２とを直接接続してもよい。
【００８４】
駆動手段５５の配置位置及び回転体５３の駆動方法も任意であり、例えば駆動手段５５の駆動軸５５ａにより回転体５３を直接駆動するように構成してもよい。
【００８５】
第１連動手段１２１と第２連動手段１２２は、何れか一方又は両方を省略してもよい。
【００８６】
遊技球払い出し装置３４の配置位置は任意であり、遊技球タンク３３から所定の供給通路を介して遊技球払い出し装置３４に遊技球を供給するように構成してもよい。
【００８７】
阻止部材９３を払い出し口開閉部材１２１として用いてもよい。即ち、阻止部材９３を、払い出し口７４の上側の２層目以降の遊技球の落下を阻止し且つ払い出し口７４を開放する上部位置と、払い出し口７４の上側の２層目以降の遊技球の落下を阻止せず且つ払い出し口７４を閉鎖する下部位置との間で上下移動又は揺動可能に構成し、通常時は上部位置に保持され、球抜き操作時には下部位置に移動するように構成してもよい。
【００８８】
またこの場合、球抜き開閉部材９５が球抜き連通路９２を開放する球抜き許容位置にきたときに阻止部材９３が上部位置から下部位置に移動するように、球抜き開閉部材９５と阻止部材９３とを連動させる連動手段を設けることが望ましい。
【００８９】
また本発明に係る遊技球払い出し装置３４は、遊技媒体として遊技球を用いるものであればどのような遊技機にも搭載可能であり、パチンコ機以外のアレンジボール機、雀球遊技機等の各種の弾球遊技機の他、メダルに代えて遊技球を投入して遊技を行うスロットマシン等においても同様に実施することが可能である。
【図面の簡単な説明】
【００９０】
【図１】本発明の第１の実施形態を示す遊技球払い出し装置の背面断面図である。
【図２】本発明の第１の実施形態を示す球抜き開閉部材が球抜き規制位置にある状態での遊技球払い出し装置の側面断面図である。
【図３】本発明の第１の実施形態を示す球抜き開閉部材が球抜き許容位置にある状態での遊技球払い出し装置の側面断面図である。
【図４】本発明の第１の実施形態を示す遊技球払い出し装置の平面部分断面図である。
【図５】本発明の第１の実施形態を示す遊技球払い出し装置の平面断面図である。
【図６】本発明の第１の実施形態を示す遊技球払い出し装置の分解斜視図である。
【図７】本発明の第１の実施形態を示すパチンコ機及び自動球貸し機の正面図である。
【図８】本発明の第１の実施形態を示すパチンコ機及び自動球貸し機の背面図である。
【図９】本発明の第２の実施形態を示す要部の概略平面構成図である。
【図１０】本発明の第２の実施形態を示す要部の概略斜視図である。
【符号の説明】
【００９１】
５１    中心軸
５２    遊技球保持部
５３    回転体
５４    ベース部
５５    駆動手段
７１    球抜き口
７４    払い出し口
９２    球抜き連通路
９３    阻止部材
９５    球抜き開閉部材
９５ａ  規制部
１１１    払い出し通路
１２１    払い出し口開閉部材
１２２    第１連動手段
１２４    第２連動手段
【図１】
2005312639.tif 000003
【図２】
2005312639.tif 000004
【図３】
2005312639.tif 000005
【図４】
2005312639.tif 000006
【図５】
2005312639.tif 000007
【図６】
2005312639.tif 000008
【図７】
2005312639.tif 000009
【図８】
2005312639.tif 000010
【図９】
2005312639.tif 000011
【図１０】
2005312639.tif 000012